(57)【特許請求の範囲】
【請求項１】
給水管に接続された量水器と当該量水器に接続された止水栓を地中に埋設した状態で収納する円筒形状の収納管と、
前記収納管の上端を塞ぐ上部閉塞蓋と、
前記収納管の下端を塞ぐ下部閉塞蓋と、
前記量水器と前記止水栓を前記収納管内において昇降可能に支持する水平支持体と、を有し、
前記量水器と前記止水栓に接続される給水管と給出管とが相互に螺回された螺回コイルを形成し、前記水平支持体の引き上げによって前記量水器と前記止水栓を前記収納管の下部位から上方に引き出せるように構成された量水器ボックスにおいて、
前記収納管と前記上部閉塞蓋の双方に接触して接続する装着リングと、
前記収納管及び前記上部閉塞蓋の外周面を覆い膨張土圧を吸収する断熱素材により形成された挿通保持体と、
前記水平支持体の前記量水器側下方と前記上部閉塞蓋の下方近傍とにそれぞれ配置された前記収納管内壁と密着昇降し得る断熱蓋と、
を備えたことを特徴とする量水器ボックス。
【請求項２】
前記装着リングは、
その上側に前記上部閉塞蓋全体を受け入れる嵌入縁と、
その下側に前記収納管の上端を包被嵌合する嵌合縁と、
その内側中間位置において前記上部閉塞蓋の下端と前記収納管の上端に接触する止着縁と、
を有することを特徴とする請求項１に記載の量水器ボックス。
【請求項３】
前記螺回コイルを形成する前記給水管と前記止水管及び前記螺回コイルを形成する前記給出管と前記量水器は、前記給水管及び前記給出管の端縁延長線と、前記止水栓及び前記量水器の端縁延長線との交叉角が、それぞれ５０乃至８５度の範囲となるよう曲折された連結管具で連結された、ことを特徴とする請求項１又は２に記載の量水器ボックス。
【請求項４】
前記挿通保持体は、埋設土壌の凍結に伴う膨張土圧の付加により揚向力が働いた場合に、前記収納管及び前記装着リングの外周面との間に揚向移動し得る滑性を有することを特徴とする請求項１又は３に記載の量水器ボックス。
【請求項５】
前記収納管は、分割された複数の円筒管が連接されて形成されたことを特徴とする請求項１に記載の量水器ボックス。
【請求項６】
前記収納管は、
当該収納管の下端から所定位置に至るまでは前記収納管の上端の口径よりも大きく口径を有する円筒部と、
前記所定位置から当該収納管の上端までは一定の勾配を有して窄まる円錐部と、から形成される請求項５に記載の量水器ボックス。
【発明の詳細な説明】
【０００１】
【産業上の利用分野】
本発明は小口径量水器を地中に収納埋設させ、地表において交換、点検修理若しくは止水措置がなしえ、且凍結並びに凍上を防止しえる量水器ボックスに関するものである。
【０００２】
【従来技術】
寒冷地における水道の敷設は、冬期における凍結事故を防止するうえから地中深く埋設されるため、量水器や止水栓も同様に地中深く直接埋設され若しくは量水器等を保護するためにコンクリート等で形成された保護ボックスで保持させたうえ埋設がなされていた。
しかしながら、かかる小口径量水器は計量法による定期の交換時や、量水器並びに止水栓の不具合による修理点検の必要な場合或いは支管の破裂や破損若しくは漏水に際しての止水措置の必要が生じた場合では、その都度掘削し交換や点検修理或いは止水措置を施さねばならず、莫大な経費とともに長時間に亘る作業が強いられていた。
【０００３】
かかる問題に鑑み、円筒形ボックス用側壁の底部に凸形底板を連設させた量水器用ボックス体の底板の側壁に地熱流入用の小穴を適宜数設け、且底板の天板に量水器の固定穴を設けるとともに、而もボックス体内に量水器と止水栓が取付けられたコイル配管を設け、且この量水器付近に下端を結束したロープ等の索条の上端をボックス体の内壁上方部に連結せしめた量水器ボックスを発明し、その内容が特公昭６３−３８５０７号公報で開示されている。
【０００４】
かくして該先願発明により、凍結防止とともに量水器や止水栓の交換や点検修理或いは止水措置が掘削作業を経ることなく簡便になしえることとなり、広範囲に且多量に使用されるに至ったものの、新たな問題が提起されるに至った。即ち広範囲の使用に伴い、埋設される土質土壌条件が著しく異り且埋設地域による気候較差も極めて大きく、これがため埋設された量水器ボックスに埋設土壌の凍結に伴う膨張土圧が大きく付加されると、量水器ボックスに地表面に向う揚向力が働き
、埋設された量水器ボックスの先端が地表面に突出若しくは隆出する凍上現象が招来され、加えて先願発明における量水器ボックスは、上部閉塞蓋を量水器ボックス上端に載置させた所謂上乗せによるものであるから、埋設に際しては土砂等が該量水器ボックス内に崩落せぬよう量水器ボックス上端が地表面と同等に埋設され、従って載置される上部閉塞蓋の上側部分が平時においても地表面に隆出していることとも相俟って、凍上により歩行や交通への大きな障害となるばかりか景観を阻害する結果ともなり、特に都市化や市街地化地域では大きな問題となっており且凍上の度合によっては再度の掘削埋設も余儀なくされる結果となる。
【０００５】
加えて該先願発明量水器ボックスは埋設収納されてなる量水器や止水栓を、地表面まで引き上げ交換や点検修理或いは止水措置等をなし且作業終了とともに収納させるための弾性伸縮機能を保持させるうえから、通常ポリエチレン管材を螺回させてコイル配管となし且その端縁を適宜連結管具で略直角に量水器や止水栓と連結させた構成を採用しているが、該コイル配管を形成するポリエチレン管材は比較的剛性が大きく、コイル配管の曲率半径を小さく形成すると伸長時に大きな引き上げ力が必要となるばかりか、量水器や止水栓と略直角に連結されてなる連結管具に過剰な応力が付加され該連結管具の変形や破損が招来される危険が生じ、反面コイル配管の曲率半径を大きくすることは伸長が容易となるものの量水器ボックスの口径も大きく且膨張土圧に対抗しえる厚さも必要となり多重且高コストとなる。これがため強剛で直線状に連結されてなる量水器並びに止水栓の長さに略等しい螺回径を以ってコイル配管が螺回され、且これらが収納される内口径を以って量水器ボックスが形成されることとなる。
【０００６】
而して長期に亘る埋設においては量水器ボックスに土壌凍結に伴う膨張土圧が付加されるため、凍上に至らぬ量水器ボックスでも変形したり若しくは地表面と地中の著しい温度差による量水器ボックスと量水器及び止水栓との膨張率差により、或いは量水器ボックス内壁面への塵埃や細菌黴の付着重積等によって量水器ボックス内壁面と量水器及び止水栓並びに連結管具の所謂強剛直線状の端縁とが極度に狭まり或いは接合したりし、特に図６に示す如く先願特許に採用された量水器Ａ及び止水栓Ｂとを連結管具Ｃで略直角にコイル配管Ｄの端縁とを連結させたものでは、強靭な該連結管具Ｃと量水器ボックス内壁Ｅとの接触抵抗若しくは摩擦抵抗が著しく増大し、更には螺回されたコイル配管Ｄの螺回曲率と量水器Ａ及び止水栓Ｂ並びに連結管具Ｃによる曲率とが適合せず、従ってコイル配管Ｄの径に合せた量水器ボックスを使用する場合には著しく口径の大きなものを使用せねばならず、反面量水器Ａ及び止水栓Ｂ並びに連結管具Ｃの長さ径に合せたものの使用では、コイル配管Ｄを圧縮させて量水器ボックス内に収納させねばならず量水器ボックス内壁との摩擦抵抗が大きくなり、引き上げや収納等の昇降作業に重大な支障をきたす問題も指摘されている。
【０００７】
更に先願発明においては、凍結防止の手段としてコイル配管の収納時において、該コイル配管の螺回中空部分に装着しえるよう凸形底板を設け且この底板の側壁に地熱流入用の小穴を適宜数個開設して地熱を利用することを用いてなるが、量水器が埋設される深さは埋設場所の条件により略６０乃至２００ｃｍ程度であって、仮令地熱（地温）を利用するにしても地熱流入は凸形底板の小穴のみで、量水器ボックスと土壌との接触面積からは極めて僅かな部分であり地温の有効利用には至らず、寧ろ埋設の深さが浅いものでは低温化した土壌温度が量水器ボックス外周面から伝導、輻射により更には上部閉塞蓋を介しても伝導、輻射作用で量水器ボックス内に伝播されて低温化し凍結の危険も指摘されている。
【０００８】
発明者等はかかる問題に鑑み鋭意研究を重ねた結果、土壌凍結による膨張土圧に対抗して変形防止を図るうえからは収納管を円筒形状とし、且膨張土圧の付加に伴う揚向力が働いた場合に収納管外周面を摺動移動でき、而も埋設土壌との接触面積の大きい収納管外周面から低温化した土壌温度が該量水器ボックス内に伝導や輻射で伝播されることを遮断するため、断熱性素材からなる挿通保持体を挿通させることにより、量水器ボックス内の凍結防止と且量水器ボックスの凍上防止が実現できること、及び螺回コイルと量水器並び止水栓との連結角度を変えることにより、量水器や止水栓及び螺回コイル等の昇降操作が著しく能率的になしえることを究明し本発明に至った。
【０００９】
【発明が解決しようとする課題】
即ち本発明は埋設土壌や気候条件の異る地域においても、埋設される量水器や止水栓の凍結防止と且凍上を防止でき、而も地表面での量水器や止水栓の交換や点検修理或いは止水措置等のための昇降操作が簡便になしえる量水器ボックスを提供することにある。
【００１０】
【課題を解決するための手段】
本発明は、上記課題を解決するために、給水管に接続された量水器と当該量水器に接続された止水栓を地中に埋設した状態で収納する円筒形状の収納管と、前記収納管の上端を塞ぐ上部閉塞蓋と、前記収納管の下端を塞ぐ下部閉塞蓋と、前記量水器と前記止水栓を前記収納管内において昇降可能に支持する水平支持体と、を有し、前記量水器と前記止水栓に接続される給水管と給出管とが相互に螺回された螺回コイルを形成し、前記水平支持体の引き上げによって前記量水器と前記止水栓を前記収納管の下部位から上方に引き出せるように構成された量水器ボックスにおいて、前記収納管と前記上部閉塞蓋の双方に接触して接続する装着リングと、前記収納管及び前記上部閉塞蓋の外周面を覆い膨張土圧を吸収する断熱素材により形成された挿通保持体と、前記水平支持体の前記量水器側下方と前記上部閉塞蓋の下方近傍とにそれぞれ配置された前記収納管内壁と密着昇降し得る断熱蓋と、を備えたことを特徴とする量水器ボックスを提供するものである。ここで、前記装着リングは、その上側に前記上部閉塞蓋全体を受け入れる嵌入縁と、その下側に前記収納管の上端を包被嵌合する嵌合縁と、その内側中間位置において前記上部閉塞蓋の下端と前記収納管の上端に接触する止着縁と、を有することを特徴とする。
そして、前記螺回コイルを形成する前記給水管と前記止水管及び前記螺回コイルを形成する前記給出管と前記量水器は、前記給水管及び前記給出管の端縁延長線と、前記止水栓及び前記量水器の端縁延長線との交叉角が、それぞれ５０乃至８５度の範囲となるよう曲折された連結管具で連結されたことを特徴とする。
また、前記挿通保持体は、埋設土壌の凍結に伴う膨張土圧の付加により揚向力が働いた場合に、前記収納管及び前記装着リングの外周面との間に揚向移動し得る滑性を有することを特徴とする。
【００１１】
【作用】
これにより、本発明に係る量水ボックスは、以下のような作用を有する。即ち収納管が円筒形状であるから、埋設時の土壌凍結に伴う膨張土圧が付加された場合にも構造的に変形がなされにくい。また、該収納管の外側側面全体には該収納管を挿通して中空状で且断熱性素材からなる挿通保持体が挿通されていることから、埋設土壌の凍結に伴う膨張土圧の付加による揚向力が働いた場合にも該挿通保持体が収納管の外側側面を揚向滑動し、収納管自体への付加力が緩和され、収納管自体の凍上も防止される。さらに、量水器ボックスと埋設土壌との大きな接触部分が断熱性素材からなる中空状の挿通保持体で挿通されてなるから、特に低温度となる地表面に近い土壌凍結温度の伝導や輻射が該挿通保持体で遮断され量水器ボックス内の低温度化が阻止される。加えて、収納管内において量水器及び止水栓の上方並びに上部閉塞蓋近傍には、該収納管内壁と密着した断熱蓋が配位されてなるため上部閉塞蓋を介して低温度が伝導、輻射により伝播されても断熱蓋で遮断され量水器や止水栓の凍結も防止されるのである。
また、量水器及び止水栓の端縁と螺回コイルを形成する給水管及び給出管の端縁とが、該量水器及び止水栓の端縁延長線と給水管及び給水管の端縁延長線との交叉角が５０乃至８５度の範囲となるよう曲折された連結管具により連結されるため、強剛で一体的且直線状の量水器及び止水栓の端縁に連結された連結管具が収納管１の内壁面と接合せぬため、昇降操作に際しても収納管１の内壁面との接触抵抗や摩擦抵抗が減失され昇降操作を容易にし、昇降操作に際しての螺回コイルの弾性伸長力や螺回コイルの荷重等が連結管具の曲折部分全体に分散されて付加され連結管具の破損損傷をなくするようにしたのである。
【００１２】
本発明に係る量水器ボックスにおいては、前記収納管は、分割された複数の円筒管が連接されて形成されたことを特徴とする。また、前記収納管は、当該収納管の下端から所定位置に至るまでは前記収納管の上端の口径よりも大きく口径を有する円筒部と、前記所定位置から当該収納管の上端までは一定の勾配を有して窄まる円錐部とから形成されるようにする。
これにより、凍結が激しく膨張土圧が大きく付加された場合に、その揚向力に伴い収納管の分割された上部が揚向滑動して地表面に突出して量水器ボックス全体の凍上を阻止しえるとともに、春期の解凍に伴う土圧の減失により突出が自然降下復元し、若しくは僅かな加圧で復元されることとなる。
また、収納管上端口径に対して適宜の長さ位置の口径を大きく形成させて所要の勾配を形成のうえ下端口径を同一口径で形成させた場合では、膨張土圧の大きな地表面近くでは相対的に収納管の口径が小さく膨張土圧の付加抵抗も少なくなり、且膨張土圧の付加時には該勾配面を土壌が揚向滑動し収納管の凍上阻止作用が発揮され凍上が抑制させることとなる。そして本発明では強剛で直線状の量水器及び止水栓の長さ分に近似する内口径で収納管が形成されるのである。
【００１３】
【実施例】
以下に本発明実施例を図とともに詳細に説明すれば、図１は本発明の断面説明図であって、収納管１は長期に亘り安定した埋設状態を保持し且土壌凍結に伴う膨張土圧の付加に耐えうる構造や強度が要請されることから、その形状は円筒形状のものが使用され且使用素材としては鉄管材を初め合成樹脂素材としてはポリエチレンやポリエステル或いはポリカーボネートを用いて円筒形状に成形したものが使用される。
更に該収納管１は埋設土壌や土質条件並びに気候条件等を加味して実用上凍結が防止される口径や長さ或いは使用素材等が決定されるが、通常その長さとしては短かいもので略６０ｃｍ程度、長いものでは略２００ｃｍ程度のものが使用され且その口径としては該収納管１内に収納される螺回コイル５に十分な弾性伸長性を付与せしめること、並びに流水抵抗を少なくするうえからは口径の大きなものが望まれるものの、口径が大きくなると多重で且高コストとなるばかりか埋設中における歩行者や交通に際しての安全性の問題が生ずること等により、一般的には略３０乃至４０ｃｍ程度のものが好都合である。無論該収納管１の厚さは口径や長さ及び使用素材によっても異るが、口径３０ｃｍ長さ１５０ｃｍで使用素材にポリエチレン樹脂が用いられる場合では略２０ｍｍ程度が望ましい。
【００１４】
そしてかかる収納管１の上端１Ａには上部閉塞蓋２が装着リング３を介して取付けられ、且該収納管１の下端１Ｂには下部閉塞蓋４が取付けられて、収納管１は閉塞された状態に保持される。
上部閉塞蓋２は先願発明における実施態様としては、収納管１の先端１Ａに載置閉塞させる所謂上乗せによるものであって、該上乗せによる方法では上部閉塞蓋２の支持縁２Ａを収納管１の上端１Ａで支持させ閉塞させるものであるから、埋設時における地表面での作業等に際して土砂等が該収納管１内に崩落させぬうえから、当然に収納管１の上端１Ａが地表面と同一レベルで埋設されるものであり、従って上乗せされた上部閉塞蓋２はその支持縁２Ａより上側が地表面に隆出された状態となる。
【００１５】
而して本発明では土壌凍結に伴う膨張土圧の揚向力により収納管１の地表面への突出所謂凍上を防止することが主要な目的であり、従って該上乗せによる方法では僅かな凍上が発生しても該上部閉塞蓋２の隆出とが加重されて大きな問題となる。
かかる事由により本発明では上部閉塞蓋２と収納管１の先端１Ａとを装着リング３を介して取付けることでかかる問題を解決している。即ち装着リング３は図２に示すように全体形状が中空リング状を呈し、その上側には上部閉塞蓋２全体がその内部に嵌入されるような口径及び深さを有する嵌入縁３Ａが形成され、且その中央内側に向って嵌入された上部閉塞蓋２の支持縁２Ａを止着させる止着縁３Ｂが形成されてなり、且その下側には収納管１の先端１Ａを包被嵌合できる嵌合縁３Ｃが一体的に形成されてなるもので、止着縁３Ｂの中央に形成される中空部３Ｄは当然に収納管１の内径と等しく形成されるものである。そしてその下側の嵌合縁３Ｃ内に包被嵌合される収納管１の先端１Ａも当然に止着縁３Ｂにおいて止着され、収納管と上部閉塞蓋２とが取付けられる。
【００１６】
この装着リング３の形成に際して留意すべきことは、本発明においては凍上防止を図るうえから、収納管１の外側側面全体に挿通保持体１０を挿通させ、膨張土圧による揚向力を該挿通保持体１０に転化せしめる技術手段を採用してなるから、該挿通保持体１０が収納管１及び装着リング３全体に挿通され、揚向力により該挿通保持体１０が容易に収納管１及び装着リング３外周面を揚向滑動しえるよう、装着リング３の嵌合縁３Ｃの先端を内側に向ってテーパー３Ｅ加工を施すことが望まれる。
【００１７】
他方収納管１の下端１Ｂには下部閉塞蓋４が取付けられてなるもので、該下部閉塞蓋４は特段の制約はなく収納管１内に土砂等が侵入せぬよう閉塞されるものであれば実用上差支えなく、具体的には図示するように基板４Ａの上側に収納管１の下端１Ｂ内に嵌合できるような嵌合凸部４Ｂを形成させたものや若しくは嵌合固定縁（図示せず）等を形成させたものが提案される。
【００１８】
かくして収納管１の上端１Ａに上部閉塞蓋２が装着リング３を介して取付けられ、且下端１Ｂには下部閉塞蓋４が取付けられて閉塞される収納管１内には、その端部が該収納管１の外方に所要の長さで延出された給水管５Ａ並びに給出管５Ｂが弾性伸縮機能を保持させるため相互に螺回されて螺回コイル５を形成してなるとともに、この給水管５Ａ及びに給出管５Ｂの端縁と強剛で一体的且直線状に連結されてなる量水器６及び止水栓７との端縁が適宜の連結管具８により連結され、而もこの強剛で一体的且直線状に連結された量水器６及び止水栓７は昇降操作のために収納管１内で保持される水平支持体９で昇降可能なるように適宜に支持され収納されている。
かかる場合において重要なことは、螺回コイル５を形成する給水管５Ａ及び給出管５Ｂの端縁と、強剛で一体的且直線状の量水器６及び止水栓７の端縁との連結手段であって、図３に示すように給水管５Ａ及び給出管５Ｂの端縁延長線Ａ−Ａ線と、量水器６及び止水栓７の端縁延長線Ｂ−Ｂ線との交叉角が５０乃至８５度の範囲、望ましくは６０乃至７５度の角度となるように曲折されてなる連結管具８で連結させることで螺回コイル５の螺回径が収納管１の内径に適合するよう螺回され、而も強剛で一体的直線状の量水器６及び止水栓７の端縁に連結される連結管具８が仮に収納管１の内壁面と接合した場合でも曲折面で接触するため接触抵抗や摩擦抵抗が著しく小さくなることによる。
【００１９】
かくしてなる収納管１及び装着リング３の外側側面全体若しくは適宜の長さ範囲には、該収納管１及び装着リング３を挿通しえる中空状で且断熱性素材からなる挿通保持体１０が挿通されている。
この挿通保持体１０は埋設土壌の凍結に伴う膨張土圧の付加で揚向力が働いた場合に、収納管１及び装着リング３の外周面との間に揚向移動しえる程度の滑性と、且埋設土壌の凍結による低温度が収納管１より伝導や輻射により収納管１内に伝播されることを遮断しえる断熱性と、且付加される膨張土圧にも抵抗しえる強靭性も要請されることから、使用素材としては硬質発泡ポリエチレンや硬質発泡ポリウレタン或いは発泡ＡＢＳ等が好適で、これら素材を用いて中空筒形に形成させたものが挙げられ、特にその厚さが１５乃至５０ｍｍ程度のものを採用すれば、膨張土圧が吸収されるとともに揚向力が著しく抑制されて凍上も防止されることとなる。
【００２０】
図４は収納管１が分割され連接使用されてなる断面説明図であって、かかる収納管１の分割且連接使用は凍結の激しい地表面や表層は膨張土圧が大きく而も該膨張土圧は深さとともに著しく減少するものであるから、膨張土圧の付加に対応して収納管１を揚向滑動させてやることが、量水器ボックスの凍上防止や変形防止のうえから有利なことによる。従って該分割される収納管１の長さは、その先端１Ａより収納管１の全長に対し略１／３乃至１／２の長さが望ましい。
【００２１】
本発明では収納管１及び装着リング３の外側側面全体若しくは適宜の長さ範囲に断熱性素材からなる中空状の挿通保持体１０が挿通されることにより土壌凍結に伴う凍上防止とともに、著しく低温化する地表面や地表に近い表層土壌の低温度が伝導や輻射等により収納管１内に伝播されることも遮断しえるが、他方上部閉塞蓋２もその外面は低温度に晒されるため当然に該上部閉塞蓋２を介して、その低温度が伝導や輻射により収納管１内に伝播され、量水器６や止水栓７或いは螺回コイル５等の凍結危険が生じる。
これがため本発明では、量水器６や止水栓７の近傍及び上部閉塞蓋２の近傍に弾性並びに断熱性を有する素材を用い、且収納管１の内壁面と密着摺動できるよう形成された断熱蓋１１を配位させることにより、上部閉塞蓋２の近傍に配設される断熱蓋１１では該上部閉塞蓋２から伝播される低温変化を阻止し、且量水器６や止水栓７の近傍に配設した断熱蓋１１により地中から伝播された比較的温暖や温度を保持せしめ、以って確実に凍結を防止する手段を採用している。
【００２２】
図５は収納管１の上端１Ａの口径に対して、適宜長さ位置１Ｃにおける口径を大きく形成して所要の勾配を形成させ、且該適宜長さ位置１Ｃより収納管１の下端１Ｂまでを同一口径で形成させた所謂勾配を有する収納管１の断面説明図であって、かかる勾配を有する収納管１を用いて埋設がなされ土壌凍結が発生した場合には、地表面及び地表面に近い表層の膨張土圧が大きく付加されるものであるから、該膨張土圧の付加に伴い表層部分に埋設されてなる収納管１の勾配外表面と接触する土壌が滑りを生じ上方に揚向移動し、収納管１自体の凍上防止が図れることとなる。
かかる場合において収納管１の先端１Ａの口径に対して、その口径が広く形成される適宜の長さ位置１Ｃは埋設土壌や土質並びに気候条件等により具体的に決定されるが、概ね量水器ボックス１の全長に対して先端１Ａから略１／２乃至１／４に相当する長さが望ましく、且適宜の長さ位置１Ｃの具体的口径は形成される勾配において略１５乃至３５度となる口径が一応の目安となる。
【００２３】
【発明の効果】
本発明は以上述べたように、収納管が円筒形状で所要の口径及び長さを有し、且その上端には上部閉塞蓋全体が嵌入される嵌入縁が上側に且その下側には収納管上端を包被嵌合しえる嵌合縁を有する装着リングを介して上部閉塞蓋が取付けられ、而も下端には下部閉塞蓋が嵌合取付されて収納管が閉塞されるため、長期に亘る埋設に際しても内部に土砂や塵埃等が流入することがなく、量水器や止水栓が汚損されず且螺回コイルの弾性伸縮性が保持され昇降操作が阻害される恐れもなくなる。
そして収納管の下側からは外方にその一側端が適宜長さで延出された給水管及び給出管の相互が螺回されて螺回コイルが形成されてなるから、弾性伸縮性が創出されて水平支持体の引き上げにより量水器や止水栓が容易に地表面に引上げられ、交換や修理点検若しくは止水措置がなしえる。更に該螺回コイルを形成する給水管及び給出管の端縁と且強剛で一体的且直線状の量水器及び止水栓の端縁とが、給水管及び給出管の端縁延長線と量水器及び止水栓の端縁延長線との交叉角において５０乃至８５度の範囲となるように曲折された連結管具で連結されるため螺回コイルのコイル径が均等に且整然と螺回され、而も連結管具の端部も収納管内壁面と接合せぬため昇降操作が著しく軽便になしえる。
【００２４】
加えて本発明は、収納管及び装着リングの外側側面全体若しくは適宜の長さ範囲に断熱性素材を用いて円筒形状の挿通保持体が挿通され、若しくは収納管が分割され連接使用されてなるため、土壌凍結による膨張土圧の付加で揚向力が働いた場合、該挿通保持体や分割された収納管が揚向滑動し量水器ボックスの凍上が防止され、更に先端から適宜の長さ位置までに勾配が形成されたものでは、膨張土圧の付加に際して接触している埋設土壌が該勾配面を地表に向って滑動するため、収納管の凍上が防止されること等により歩行や交通への支障がなくなり或いは舗装工事等も支障なく行うことが可能となり且景観を損う危険も解消され、特には凍上による再埋設作業も削減される。而も凍結土壌と接触面積の大きな収納管外側側面に断熱性素材からなる挿通保持体が挿通されてなるから、収納管壁面からの低温度の伝播がなくなり、且収納管内には断熱蓋が配位されることとも相俟って凍結も確実に防止される等、実用使用における多くの特長を具備した量水器ボックスである。
【図面の簡単な説明】
【図１】本発明の使用態様断面説明図である。
【図２】装着リングの説明図である。
【図３】給水管及び給出管と量水器及び止水栓との連結説明図である。
【図４】収納管が分割連接されてなる説明図である。
【図５】勾配が形成された収納管の説明図である。
【図６】従来の給水管及び給出管と量水器及び止水栓の連結説明図である。
【符号の説明】
１    収納管
１Ａ  収納管の先端
１Ｂ  収納管の下端
１Ｃ  収納管の適宜位置
２    上部閉塞蓋
２Ａ  上部閉塞蓋支持縁
３    装着リング
３Ａ  嵌入縁
３Ｂ  止着縁
３Ｃ  嵌合縁
３Ｄ  中空部
３Ｅ  テーパー加工
４    下部閉塞蓋
４Ａ  基板
４Ｂ  嵌合凸部
５    螺回コイル
５Ａ  給水管
５Ｂ  給出管
６    量水器
７    止水栓
８    連結管具
９    水平支持体
１０    挿通保持体
１１    断熱蓋
【図１】
0003980309.tif 000002
【図２】
0003980309.tif 000003
【図３】
0003980309.tif 000004
【図４】
0003980309.tif 000005
【図５】
0003980309.tif 000006
【図６】
0003980309.tif 000007